(57)【要約】【課題】ボールペンのペン先を上に向けて上部にある紙面に筆記する場合に、簡単な構造で、インク切れを起こさずに良好に筆記できるボールペンチップを提供する。【解決手段】チップケース３の先端に抱持されたボール１を押圧する一方の端部が折り返し部を有する金属スプリング４を備え、金属スプリング４の折り返し部をボール１の後部に連設されるインク流路１１の細管部１３内に振動可能に挿入し、ボール１の回転に伴って金属スプリング４の折り返し部が細管部１３内で振動することにより細管部１３内のインクを撹拌し、ボール１表面にインクを塗布するようにした。【選択図】図１
2011098553.tif 000002
【特許請求の範囲】
【請求項１】
円筒状部材であるチップケースの先端に形成された抱持孔に回転が自在にできるように抱持されたボールを備え、前記チップケースには前記抱持孔内の前記ボールにインクを供給するためのインク流路が形成され、該インク流路は前記ボールの後部に連設される細管部と、該細管部に連設され、前記細管部よりも大きな内径を有する大径流路部とを備え、一方の端部が折り返し部を有する直線状線材部分を有し、他方の端部が固定され、前記一方の端部の折り返し端点が前記ボールの後部を押圧したスプリングが前記インク流路内に挿入されたボールペンチップにおいて、
前記スプリングは、前記一方の端部の折り返し部が前記細管部の内部に挿入されており、前記スプリングの折り返し部が前記細管部の内で前記ボールの回転に伴って振動可能であり、該振動により前記細管部内のインクを撹拌し、前記ボール表面にインクを塗布するようにしたことを特徴とするボールペンチップ。
【請求項２】
前記スプリングはコイルスプリング部分を有し、前記直線状部材部分はコイルスプリング部分と一体に形成され、該コイルスプリング部分の中心部から線材が直角に起き上がりスプリングの長さ方向に延在し、円弧状の折り返し端点を経て逆方向に延在して線材が平行に延びて前記折り返し部を構成するように形成され、前記直線状線材部分の折り返し部の両線材間には線材の線径の０．１倍〜０．４倍の間隔が開けられていることを特徴とする請求項１記載のボールペンチップ。
【請求項３】
前記細管部は、前記スプリングの線径の２．５倍〜６倍の内径を有していることを特徴とする請求項１または２記載のボールペンチップ。
【請求項４】
前記細管部は、前記スプリングの線径の１．５倍〜５０倍の長さを有していることを特徴とする請求項１ないし３のいずれかに記載のボールペンチップ。
【請求項５】
前記細管部の内壁が前記抱持孔に近づくに従って拡大するコニカル状に形成され、前記細管部の内壁と前記チップケースの軸心とのなす角度が０度〜１５度であることを特徴とする請求項１ないし４のいずれかに記載のボールペンチップ。
【請求項６】
前記細管部の内壁には、前記抱持孔とインク流路の大径流路部とに端部がそれぞれ開口したインク道用の切り込みが放射状に複数形成されていることを特徴とする請求項１ないし５のいずれかに記載のボールペンチップ。
【請求項７】
前記抱持孔は、前記ボールが前記抱持孔内で前記チップケースの先端側に位置したとき前記ボールの後端と前記抱持孔の後部内壁との間に、前記チップケースの軸線方向に測定して前記ボールの直径の０．０３倍〜０．１５倍の隙間を有する空間を画成するように形成されており、前記ボールが前記チップケースの先端側に位置し前記抱持孔の先端縁を閉塞したとき前記空間にインクを溜めるようにしたことを特徴とする請求項１ないし６のいずれかに記載のボールペンチップ。
【発明の詳細な説明】
【技術分野】
【０００１】
本発明はボールとチップの先端のパイプ内輪とが密着してリフィール中のインクが乾燥しないようにすると同時に、上向き筆記時にもインク切れのしないボールペンチップに関するものである。
【背景技術】
【０００２】
従来、先端内面に座部を形成した金属製のチップを有し、該チップ内に配置されたボールが、このボール後方に配置されたコイルスプリングなどのスプリングによってチップの座部に当接して弁機構を構成するボールペンが提案されている。例えば、特許文献１には、この種のボールペンにおいてスプリングのストレート部の先端を折り曲げ、円弧状の折り曲げ部をボールに当接させ、筆記時のボールの回転を滑らかにすることが開示されている。しかしながら、このボールペンではスプリングの折り返し部の線材間に隙間がなく、折り返し部はインクの流量の安定化に寄与していないものである。
【０００３】
これを改良するものとして、本出願人はボールを押圧するスプリングの端部を折り曲げて折り返し部がスプリング線材の線径の０．１〜０．４倍の間隔を開けた線材の直線部を具備し、スプリングの折り返し部を通過するインクが表面張力による毛細管現象を生じて適切な流量に調節されるボールペンチップの構造を提案した。（特許文献２参照）しかし、このボールペンチップ構造を適用したボールペンでは、上向き筆記時、すなわちボールペンのペン先を上に向けて上部にある紙面に筆記すると、インク切れが起きてしまうという問題があった。
【０００４】
また、インクを加圧する加圧式ボールペンあるいは上向き筆記時のインクの逆流を防止する逆止弁を組み込んだボールペンも提案されているが、この種のボールペンでは内部にインクを加圧する加圧機構や逆止ボールを有するので構造が複雑になるという問題点があった。
【先行技術文献】
【特許文献】
【０００５】
【特許文献１】特開平８−１１４７８号公報
【特許文献２】特開２００１−４７７８５号公報
【発明の概要】
【発明が解決しようとする課題】
【０００６】
本発明は上記問題点を解決し、ボールペンのペン先を上に向けて上部にある紙面に筆記するときにも、複雑な構造を採用することなく簡単な構造で、インク切れを起こさずに良好に筆記できるボールペンチップを提供することを課題としている。
【課題を解決するための手段】
【０００７】
本発明のボールペンチップは、円筒状部材であるチップケースの先端に形成された抱持孔内に回転が自在にできるように抱持されたボールを備え、前記チップケースには前記抱持孔内の前記ボールにインクを供給するためのインク流路が形成され、該インク流路は前記ボールの後部に連設される細管部と、該細管部に連設され、前記細管部よりも大きな内径を有する大径流路部とを備え、一方の端部が折り返し部を有する直線状線材部分を有し、他方の端部が固定され、前記一方の端部の折り返し端点が前記ボールの後部を押圧したスプリングが前記インク流路内に挿入されたボールペンチップにおいて、
前記スプリングは、前記一方の端部の折り返し部が前記細管部の内部に挿入されており、前記スプリングの折り返し部が前記細管部の内で前記ボールの回転に伴って振動可能であり、該振動により前記細管部内のインクを撹拌し、前記ボール表面にインクを塗布するようにしたことを特徴とする。
【０００８】
スプリングは直線状部材部分と一体に形成されたコイルスプリング部分有し、直線状部材部分はコイルスプリング部分の中心部から線材が直角に起き上がりスプリングの長さ方向に延在し、円弧状の折り返し端点を経て逆方向に延在して線材が平行に延びて折り返し部を構成するように形成し、直線状線材部分の折り返し部の両線材間には線材の線径の０．１倍〜０．４倍の間隔を開けるのが好ましい。
【０００９】
細管部の内径は、スプリングの線径の２．５倍〜６倍とするのが好ましい。また、細管部の長さは、スプリングの線径の１．５倍〜５０倍とするのが好ましい。
【００１０】
細管部の形状としては、細管部の内壁が抱持孔に近づくに従って拡大するコニカル状に形成してもよく、その場合、該細管部の内壁とチップケースの軸心とのなす角度が０度〜１５度とするのがよい。
【００１１】
細管部の内壁に、抱持孔とインク流路の大径流路部に端部がそれぞれ開口したインク道用の切り込みを放射状に複数形成してもよい。
【００１２】
抱持孔は、ボールが抱持孔内でチップケースの先端側に位置したときボールの後端と抱持孔の後部内壁との間に、チップケースの軸線方向に測定してボールの直径の０．０３倍〜０．１５倍の隙間を有する空間を画成するように形成し、ボールがチップケースの先端側に位置し抱持孔の先端縁を閉塞したとき空間にインクを溜めるようにするのがよい。
【発明の効果】
【００１３】
本発明のボールペンチップは、簡単な構造でありながら、上部にある紙面に、ボールペンのペン先を上に向けて筆記してもインク切れを起こさずに良好に筆記ができるという利点がある。
【図面の簡単な説明】
【００１４】
【図１】図１は、本発明に係るボールペンチップの一実施形態を示す断面図である。
【図２】図２は、図１のＡ−Ａ線における拡大断面図である。
【図３】図３は、図１のボールペンチップの先端の拡大断面図である。
【図４】図４は、図１の実施形態における変形例を示す、ボールペンチップの先端の拡大断面図である。
【図５】図５（ａ）〜図５（ｄ）は、金属スプリングの端部が細管部内で振動する状態を示し、図５（ａ）及び図５（ｂ）は金属スプリングの端部が直線状線材部分の折り返し部の両線材を通る平面方向に振動し、金属スプリングの端部が細管部の内壁に当接した状態を、図５（ｃ）及び図５（ｄ）は金属スプリングの端部が上記平面方向にほぼ直角な方向に振動し、金属スプリングの端部が細管部の内壁に当接した状態をそれぞれ示す断面図である。
【図６】図６は、本発明に係るボールペンチップの他の実施形態を示す断面図である。
【発明を実施するための形態】
【００１５】
以下、本発明の実施の形態について図面を参照して説明する。
本発明に係るボールペンチップは、図１に示すように、金属製のボール１を抱持する円筒状部材である金属製のチップケース３と、インク８を貯留したリフィール７にチップケース３を接続するプラスチック製のジョイント５とで構成されている。チップケース３はその基端部がジョイント５に嵌めこまれて固定されている。ジョイント５はリフィール７に圧入され、ジョイント５の内部には金属製のインク導通管６がリフィール７側から圧入されている。リフィール７にはインク８が貯留され、インク８の後端部に接して移動するフォロワ９が設けられている。
【００１６】
チップケース３の先端には抱持孔１０が形成され、その内部に金属製のボール１が収容されて回転するようになっている。チップケース３の内部にはボール１へのインク供給のためのインク流路１１が形成されており、該インク流路１１は、チップケース３の基部側に大径流路部１２を有し、先端側はボール３の後部に臨んで抱持孔１０に開口する細管部１３を備えている。
【００１７】
チップケース３のインク流路１１の内部にはボール１を前方に付勢する金属スプリング４が挿入配備されている。この金属スプリング４の形状は本発明者が提案した特許文献２のものに準じて構成されている。すなわち、金属スプリング４は一方部分が折り返された直線状線材部分４ａとして、他方部分がコイルスプリング部分４ｂとして一体に形成されており、金属スプリング４は直線状線材部分４ａの折り返し端点でボール１の後部中心に当接してボール１を背面から押圧し、コイルスプリング部分４ｂの反対側端部はジョイント５に圧入されたインク導通管６の端面に当接されて固定されている。金属スプリング４の直線状線材部分４ａは、コイルスプリング部分４ｂの中心部から線材が直角に起き上がりスプリングの長さ方向に延在し、その先端のボール１への当接部となる円弧状の折り返し端点を経て逆方向に延在して線材がほぼ平行に延びる折り返し部を有するように形成されている。金属スプリング４は線径が０．０８ｍｍ〜０．４ｍｍの線材で構成し、コイルスプリング部分４ｂが０．５ｍｍ〜４ｍｍの外径と３ｍｍ〜５０ｍｍの全長を有し、直線状線材部分４ａが０．５ｍｍ〜３０ｍｍの長さを有するように形成するのが好ましい。また、直線状線材部分４ａの折り返し部の両線材間には図２に示すように線径の０．１倍〜０．４倍の間隔Ｓを開けるのがよい。
【００１８】
金属スプリング４の直線状線材部分４ａの先端部分は、折り返し端点がボール１に当接するようにチップケース３の先端側の細管部１３内に挿入されている。チップケース３の細管部１３は、金属スプリング４の直線状線材部分４ａの先端部分がその内部で後述のように振動し、インクの撹拌とポンプ作用を効果的に行える形状及び寸法に形成されている。すなわち、細管部１３の内径Ｄｓは、スプリング４の線材の線径ｄの２．５倍〜６倍（Ｄｓ＝２．５ｄ〜６ｄ）に形成するのが好ましい。また、前記細管部１３の長さＬはスプリング４の線材の線径ｄの１．５倍〜５０倍（Ｌ＝１．５ｄ〜５０ｄ）に形成するのが好ましい。細管部１３の内径Ｄの上限値をスプリング線材の線径ｄの６倍としたのは、筆記始めの筆記かすれを最小にするためには、ボール１の表面にインクを塗布し始めるときボール１の回転角度を最小にすることが望ましく、金属スプリング４の直線状線材部分４ａの端部がより早く細管部１３の内壁に当接し微振動を生じることで筆記のかすれ距離を小さくすることによる。
【００１９】
金属スプリング４の直線状線材部分４ａの先端部分の振動によって生じるインクの汲み上げ流量は細管部１３のインク通路に溜まっているインクの量が関係し、汲み上げ力が大きいのはインク通路の長さＬが大きくて、インク通路の内径Ｄｓが小さい場合である。インク通路の内径が小さくなると通路に溜まっているインクの量が少なくなって金属スプリング４の直線状線材部分４ａの先端部分の振動によって生じるインクの汲み上げ圧力が大きくなるがインクの流量が小さくなってしまうためボール１の径と調和させる必要がある。この点から細管部１３の内径Ｄｓの下限値をスプリング線材の線径ｄの２．５倍に決定したものである。なお、インクの粘度が大きくなるとインクの汲み上げ流量は小さくなるので、細管部１３の内径Ｄｓを上記の範囲内で大きめに設定すればよい。
【００２０】
チップケース３の先端の細管部１３の内壁には、抱持孔１０とインク流路の大径流路部１２側とに端部がそれぞれ開口したインク道用の切り込み２が放射状に複数形成されている。このインク道用の切り込み２は、下向き筆記のときには切り込み２が毛細管現象によってインクを保持してインクを出す量を調整し、上向き筆記では金属スプリング４の直線状線材部分４ａの端部のポンプ作用により汲み出して使用したインクの余りをチップケース３の大径流路部１２側に返還する役目を果たしている。また、インク道用の切り込み２はボール１とチップケース３の抱持孔１０内面との間で発生する摩擦を軽減する潤滑剤としてのインクを供給する機能をも果たしている。
【００２１】
図１ないし図３に示す例では、チップケース３先端側の細管部１３の内壁を円筒状に形成しているが、図４に示すように細管部１３の内壁が抱持孔１０に近づくに向かって拡大するコニカル状に形成してもよい。この場合、細管部１３のコニカル状内壁の傾斜角度すなわち細管部１３の内壁とチップケース３の軸心とのなす角度αは実用上０度〜１５度の範囲とするのがよい。
【００２２】
本発明のボールペンチップの作動について説明する。本発明のボールペンチップを備えたボールペンを用いて筆記するとき、インク８がチップケース３に満杯の状態にて、ボール１が紙面に接触移動するとボール１が抱持孔１０内で回転する。ボール１の表面のうち細管部１３側に面している部分はインクで濡れているが、ボール１が回転して紙面に転写するとインクがなくなる。再びインク側に乾いたボール表面が現れると、ボール１に接触している金属スプリング４の端部が、ボール１が回転することによって振動を生じてインクをかき回すと同時にボール１の面にインクを塗りつける。このようにして細管部１３内のインクの撹拌とインクボール１表面へのインク塗布が連続して行われる。
【００２３】
このとき、金属スプリング４の直線状線材部分４ａの端部の振動は次のようにして生じる。ボール１の回転に伴ってボール１と金属スプリング４の直線状線材部分４ａの先端（円弧状の折り返し端点）との間の摩擦力により金属スプリング４の直線状線材部分４ａの端部が動き、金属スプリング４の直線状線材部分４ａの端部が収容されているチップケース３の先端の内部の細管部１３の内壁に金属スプリング４の直線状線材部分４ａの端部が当接して止まり、さらに外周に微視的には一様でない窪みや突起を持ったボール１が回転すると、押圧されている金属スプリング４の直線状線材部分４ａの端部が微振動を生じながら逃げやすい方向にはじかれる。再びボール１と金属スプリング４の直線状線材部分４ａの先端が摩擦を生じて微振動及びはじかれることによる振動を発生させる。このような金属スプリング４の直線状線材部分４ａの端部の振動によりチップケース３の先端の内部の細管部１３のインク８はかき混ぜられるとともに、チップケース３の先端の内部の細管部１３のインク８が回転するボール１表面に連続的に供給され、塗布される。
【００２４】
ボール１の表面から紙面にインクが転写されることによりチップケース３のインク流路１１内のインク８圧力が低下し、その結果リフィール７にあるインク８がインク導通管６を通じてチップケース３のインク流路１１に順次充填される。このとき、金属スプリング４の折り返し部の直線状線材部分４ａの両線材間は所定の間隔が開けられているので折り返し部を通過するインクは表面張力による毛細管現象を生じて適切な流量に調節される。このように、本発明のボーペンチップでは、下向き筆記の場合だけでなく上向き筆記の場合にもボール１とインクとの間に空気が入らず、インク切れを生じず、リフィール７のインク８を最後まで使うことができる。
【００２５】
次に図６を参照して本発明のボールペンチップの他の実施形態について説明する。この実施形態においては、抱持孔１０は、ボール１が抱持孔１０の先端側座部（カシメ部）に当接して先端縁を閉塞するとき、ボール１の後端と抱持孔１０の後部内壁との間に所定量のインクを溜めることのできる空間１４を画成するように形成されている。本実施の形態においては、上述の実施形態に比べ、ボール１は抱持孔１０内にチップケース３の軸線方向にやや大きな距離を移動できるように配置されている。すなわち、ボール１は、図６において実線で示すように金属スプリング４の押圧作用により抱持孔１０の先端縁を閉塞する前方位置Ａと、想像線で示すようにボール１が金属スプリング４の押圧力に抗して後方に移動し抱持孔１０の後部内壁に接する後方位置Ｂとの間で移動可能となっている。ボール１が前方位置Ａに位置するとき、ボール１と抱持孔１０の後部内壁との間には細管部１３に連なる空間１４が形成され、この空間１４内にはインクが満たされる。
【００２６】
ここで、空間１４に溜められるインクの量は、筆記開始時にかすれを生じることなくインク流路１１内のインクを細管部１３を介して円滑に導き出すことができるものでよい。このための空間１４の大きさとしては、ボール１がチップケース３の先端側に位置したとき、ボール１と抱持孔１０の後部内壁との間に形成される隙間のチップケース３の軸線方向に測定した寸法（前方位置Ａと後方位置Ｂとにおけるボール１の対応部分の間の距離Ｍに実質的に等しい）がボール１の直径Ｄｂに対して０．０３倍〜０．１５倍の範囲とするのがよく、例えばボール１の直径が１ｍｍの場合、空間１４の隙間寸法を０．１２ｍｍとする。
【００２７】
このような構成のボールペンチップを備えたボールペンを用いて筆記する場合には、筆記中はボール１は紙面上を接触移動するので、ボール１は抱持孔１０内で金属スプリング４の押圧作用に抗して後方へ移動した状態で回転し、ボール１の回転に伴い抱持孔１０内のインクで濡れたボール１の表面が順次紙面上に現れインクは紙面に転写される。筆記をやめると、ボール１は金属スプリング４の直線状線材部分４ａの折り返し端点で押圧されて前方位置Ａへ移動して、ボール１の後部と抱持孔１０後部内壁との間には空間１４が形成される。この空間１４内には細管部１３を通じてインクが満たされ、溜められた状態となる。次に、紙面にボール１を接触させて移動させて筆記を始めると、ボール１は回転し始めるが空間１４内のインクで濡れたボール表面が直ちに紙面に接し、インクが転写されることになる。また、ボールペンを横向きまたはチップケース３を上向きにした静止状態から上向き筆記を始めると、ボール１を押圧することで、ボール１後部の空間１４に溜まっているインクがチップケース３の先端座部の微細な隙間に入り込み空気層を取り去るためにポンプの効果が発揮できる。このように本実施形態のボールペンチップによれば、下向き筆記の場合だけでなく上向き筆記の場合にも筆記の始めにかすれが生じない。なお、本実施形態の他の部分の構成は上述の実施形態と同様である。
【産業上の利用可能性】
【００２８】
本発明のボールペンチップを備えたボールペンは下向き筆記にも、上向き筆記にも使用が可能であり、インク切れを起こさないので、ボールペンの用途が拡大できる。また、重力が作用しない無重量環境下でも使用することができる。
【符号の説明】
【００２９】
１    ボール
２    インク道用の切り込み
３    チップケース
４    金属スプリング
５    ジョイント
６    インク道通管
７    リフィール
８    インク
９    フォロワ
１０  抱持孔
１１  インク流路
１２  大径流路部
１３  細管部
１４  空間
Ａ    前方位置（ボールがとる）
Ｂ    後方位置（ボールがとる）
ｄ    金属スプリングの線径
Ｄｂ  ボールの直径
Ｄｓ  細管部の内径
Ｌ    細管部の長さ
Ｍ    距離（隙間寸法）
Ｓ    線材間の間隔
α    細管部内壁の傾斜角度
【図１】
2011098553.tif 000003
【図２】
2011098553.tif 000004
【図３】
2011098553.tif 000005
【図４】
2011098553.tif 000006
【図５】
2011098553.tif 000007
【図６】
2011098553.tif 000008
【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
円筒状部材であるチップケースの先端に形成された抱持孔に回転が自在にできるように抱持されたボールを備え、前記チップケースには前記抱持孔内の前記ボールにインクを供給するためのインク流路が形成され、該インク流路は前記ボールの後部に連設される細管部と、該細管部に連設され、前記細管部よりも大きな内径を有する大径流路部とを備え、一方の端部が折り返し部を有する直線状線材部分を有し、他方の端部が固定され、前記一方の端部の折り返し端点が前記ボールの後部を押圧したスプリングが前記インク流路内に挿入されたボールペンチップにおいて、
前記スプリングは、前記一方の端部の折り返し部が前記細管部の内部に挿入され、前記細管部は、前記スプリングの線径の２．５倍〜６倍の内径を有しており、前記スプリングの折り返し部が前記細管部の内で前記ボールの回転に伴って振動可能であり、該振動により前記細管部内のインクを撹拌し、前記ボール表面にインクを塗布するようにしたことを特徴とするボールペンチップ。
【請求項２】
前記スプリングはコイルスプリング部分を有し、前記直線状部材部分はコイルスプリング部分と一体に形成され、該コイルスプリング部分の中心部から線材が直角に起き上がりスプリングの長さ方向に延在し、円弧状の折り返し端点を経て逆方向に延在して線材が平行に延びて前記折り返し部を構成するように形成され、前記直線状線材部分の折り返し部の両線材間には線材の線径の０．１倍〜０．４倍の間隔が開けられていることを特徴とする請求項１記載のボールペンチップ。
【請求項３】
前記細管部は、前記スプリングの線径の１．５倍〜５０倍の長さを有していることを特徴とする請求項１または２記載のボールペンチップ。
【請求項４】
前記細管部の内壁が前記抱持孔に近づくに従って拡大するコニカル状に形成され、前記細管部の内壁と前記チップケースの軸心とのなす角度が０度〜１５度であることを特徴とする請求項１ないし３のいずれかに記載のボールペンチップ。
【請求項５】
前記細管部の内壁には、前記抱持孔とインク流路の大径流路部とに端部がそれぞれ開口したインク道用の切り込みが放射状に複数形成されていることを特徴とする請求項１ないし４のいずれかに記載のボールペンチップ。
【請求項６】
前記抱持孔は、前記ボールが前記抱持孔内で前記チップケースの先端側に位置したとき前記ボールの後端と前記抱持孔の後部内壁との間に、前記チップケースの軸線方向に測定して前記ボールの直径の０．０３倍〜０．１５倍の隙間を有する空間を画成するように形成されており、前記ボールが前記チップケースの先端側に位置し前記抱持孔の先端縁を閉塞したとき前記空間にインクを溜めるようにしたことを特徴とする請求項１ないし５のいずれかに記載のボールペンチップ。
【手続補正２】
【補正対象書類名】明細書
【補正対象項目名】０００７
【補正方法】変更
【補正の内容】
【０００７】
本発明のボールペンチップは、円筒状部材であるチップケースの先端に形成された抱持孔内に回転が自在にできるように抱持されたボールを備え、前記チップケースには前記抱持孔内の前記ボールにインクを供給するためのインク流路が形成され、該インク流路は前記ボールの後部に連設される細管部と、該細管部に連設され、前記細管部よりも大きな内径を有する大径流路部とを備え、一方の端部が折り返し部を有する直線状線材部分を有し、他方の端部が固定され、前記一方の端部の折り返し端点が前記ボールの後部を押圧したスプリングが前記インク流路内に挿入されたボールペンチップにおいて、
前記スプリングは、前記一方の端部の折り返し部が前記細管部の内部に挿入され、前記細管部は、前記スプリングの線径の２．５倍〜６倍の内径を有しており、前記スプリングの折り返し部が前記細管部の内で前記ボールの回転に伴って振動可能であり、該振動により前記細管部内のインクを撹拌し、前記ボール表面にインクを塗布するようにしたことを特徴とする。
【手続補正３】
【補正対象書類名】明細書
【補正対象項目名】０００９
【補正方法】変更
【補正の内容】
【０００９】
細管部の長さは、スプリングの線径の１．５倍〜５０倍とするのが好ましい。